(57)【要約】      （修正有）【課題】電子部品の巻線の効率を高める巻線方法及び巻線方法を提供する。【解決手段】導線先端の巻線方法は、導線Ｌの先端を挟持する段階と、導線ＬをピンＰに巻き付けてピンＰの環状周面に添着することにより、導線Ｌの初添着段Ｌ１を形成し、かつ、初添着段Ｌ１の一端から導線Ｌの先端までの間に導線Ｌの第一段Ｌ２を形成し、初添着段Ｌ１のもう一端から導線Ｌのその他の部分まで導線Ｌの第二段Ｌ３を形成する段階と、導線Ｌの初添着段Ｌ１と一部分の第一段Ｌ２は導線先端の巻線装置の中に位置し、かつ、巻線装置の端部によって導線Ｌの第二段Ｌ３を当接する段階と、巻線装置によって導線Ｌの第一段Ｌ２を切断し、かつ、導線Ｌの第一段Ｌ２が初添着段Ｌ１と互いに連接する部分はピンＰの環状周面に巻き付けられることにより、導線Ｌの切断端は導線ＬがピンＰの自由端に最も近接する部位に形成される段階とを含む。【選択図】図２
2016032106.tif 000002
【特許請求の範囲】
【請求項１】
一個の導線（Ｌ）の先端を挟持する段階と、
上記導線（Ｌ）を一個のピン（Ｐ）に巻き付けて上記ピン（Ｐ）の環状周面に添着することにより、上記導線（Ｌ）の一個の初添着段（Ｌ１）を形成し、かつ上記初添着段（Ｌ１）の一端から上記導線（Ｌ）の先端までの間に上記導線（Ｌ）の第一段（Ｌ２）を形成し、上記初添着段（Ｌ１）のもう一端から上記導線（Ｌ）のその他の部分まで上記導線（Ｌ）の第二段（Ｌ３）を形成する段階と、
一個の導線先端の巻線装置を上記ピン（Ｐ）の自由端から上記ピン（Ｐ）に嵌入し、上記導線（Ｌ）の初添着段（Ｌ１）と一部分の第一段（Ｌ２）を上記導線先端の巻線装置の中に位置させ、かつ上記導線先端の巻線装置の端部を上記導線（Ｌ）の第二段（Ｌ３）に当接する段階と、
上記導線先端の巻線装置によって上記導線（Ｌ）の第一段（Ｌ２）を切断し、かつ上記導線（Ｌ）の第一段（Ｌ２）と上記初添着段（Ｌ１）を上記ピン（Ｐ）の環状周面に巻き付けることにより、上記導線（Ｌ）の切断端（Ｘ）を上記導線（Ｌ）の上記ピン（Ｐ）の自由端に最も近接する部位に形成する段階と、
を含むことを特徴とする導線先端の巻線方法。
【請求項２】
上記導線先端の巻線装置には、一個の導線収容管（１）と一個の巻線部材（２）が含まれ、
上記導線収容管（１）の一端には一個の導線当接面（１３）が形成され、上記導線収容管（１）には一個の導線収容部（１４）が開設され、上記導線収容部（１４）が上記導線収容管（１）の外環状周面（１１）と内環状周面（１２）を貫穿することによって、上記導線収容管（１）は一個の係止面（１５）を含み、上記係止面（１５）は上記導線収容管（１）の外環状周面（１１）、内環状周面（１２）および上記導線当接面（１３）と連接し、
上記巻線部材（２）は上記導線収容管（１）の中に収容され、上記巻線部材（２）には一個の軸杆（２１）と一個のカッター（２２）が含まれ、上記カッター（２２）には一個の外円弧面（２２１）、一個の内円弧面（２２２）と一個の導線押圧面（２２３）が含まれ、上記外円弧面（２２１）と内円弧面（２２２）は相対し、上記導線押圧面（２２３）は上記外円弧面（２２１）、内円弧面（２２２）および上記カッター（２２）の自由端面と連接し、かつ上記導線押圧面（２２３）と上記外円弧面（２２１）が連接する端縁には一個の刃部（２２４）が形成されていることを特徴とする請求項１に記載の導線先端の巻線方法。
【請求項３】
上記導線収容管（１）と巻線部材（２）は共に上記ピン（Ｐ）の自由端から上記ピン（Ｐ）に嵌入され、上記導線収容管（１）は上記導線当接面（１３）によって上記導線（Ｌ）の第二段（Ｌ３）に当接し、かつ上記導線収容管（１）には上記導線（Ｌ）の初添着段（Ｌ１）と一部分の導線（Ｌ）の第一段（Ｌ２）が収容されることを特徴とする請求項２に記載の導線先端の巻線方法。
【請求項４】
上記巻線部材（２）を上記導線収容管（１）に対して相対的に回転駆動し、上記カッター（２２）の導線押圧面（２２３）によって上記導線（Ｌ）の第一段（Ｌ２）を押圧して上記ピン（Ｐ）の環状周面に沿って巻き付け、かつ上記導線押圧面（２２３）と上記導線収容管（１）の係止面（１５）が交差する時、上記刃部（２２４）によって上記導線（Ｌ）の第一段（Ｌ２）を切断することを特徴とする請求項３に記載の導線先端の巻線方法。
【請求項５】
上記導線（Ｌ）の第一段（Ｌ２）が切断された後、上記巻線部材（２）は引続き上記導線収容管（１）に相対して回転し、上記導線（Ｌ）の第一段（Ｌ２）は上記導線押圧面（２２３）によって依然として上記初添着段（Ｌ１）と互いに連接する部分が、上記ピン（Ｐ）の環状周面に沿って巻き付けるように押圧されることにより、上記部分の導線（Ｌ）を上記ピン（Ｐ）の環状周面に巻き付け、さらに上記導線（Ｌ）の切断端（Ｘ）が上記ピン（Ｐ）の自由端に最も近接する部位に形成させることを特徴とする請求項４に記載の導線先端の巻線方法。
【請求項６】
上記軸杆（２１）の一端に一個の押圧面（２１１）が含まれ、上記カッター（２２）は上記押圧面（２１１）に連接され、上記導線（Ｌ）を上記ピン（Ｐ）の環状周面に巻き付けた後、上記ピン（Ｐ）の軸方向に沿って上記導線収容管（１）と巻線部材（２）を移動させ、かつ上記軸杆（２１）の押圧面（２１１）によって、上記導線（Ｌ）が上記ピン（Ｐ）の軸方向に沿って上記ピン（Ｐ）に巻き付けられた部分を押圧することにより、上記導線（Ｌ）の各層の間の螺旋距離を縮減することを特徴とする請求項２〜５の何れかに記載の導線先端の巻線方法。
【請求項７】
上記ピン（Ｐ）の半径方向の断面において、上記カッター（２２）が上記内円弧面（２２２）および上記導線押圧面（２２３）の連接する部位から上記ピン（Ｐ）の環状周面までの距離が、上記導線（Ｌ）の線径と同じまたは少し大きく、かつ上記内円弧面（２２２）から上記ピン（Ｐ）の環状周面までの距離の最小部位となることを特徴とする請求項２〜５の何れかに記載の導線先端の巻線方法。
【請求項８】
一個の導線収容管（１）と一個の巻線部材（２）を含む導線先端の巻線装置であって、
上記導線収容管（１）の一端には一個の導線当接面（１３）が形成され、上記導線収容管（１）には一個の導線収容部（１４）が開設され、上記導線収容部（１４）が上記導線収容管（１）の外環状周面（１１）と内環状周面（１２）を貫穿することによって、上記導線収容管（１）は一個の係止面（１５）を含み、上記係止面（１５）は上記導線収容管（１）の外環状周面（１１）、内環状周面（１２）と上記導線当接面（１３）を連接し、
上記巻線部材（２）は上記導線収容管（１）の中に収容され、上記巻線部材（２）には一個の軸杆（２１）と一個のカッター（２２）が含まれ、上記軸杆（２１）の一端には一個の押圧面（２１１）が含まれ、上記カッター（２２）は上記押圧面（２１１）に連接され、上記カッター（２２）には一個の外円弧面（２２１）、一個の内円弧面（２２２）と一個の導線押圧面（２２３）が含まれ、上記外円弧面（２２１）と内円弧面（２２２）は相対し、上記導線押圧面（２２３）は上記押圧面（２１１）、外円弧面（２２１）、内円弧面（２２２）と上記カッター（２２）の自由端面を連接し、かつ上記導線押圧面（２２３）と上記外円弧面（２２１）が連接する端縁には一個の刃部（２２４）が形成されていることを特徴とする導線先端の巻線装置。
【請求項９】
上記軸杆（２１）の半径方向の断面に平行する平面において、上記導線押圧面（２２３）は傾斜状に形成されて上記外円弧面（２２１）の接平面とは一個の鋭角が形成され、上記刃部（２２４）を上記カッター（２２）の片側に突出することを特徴とする請求項８に記載の導線先端の巻線装置。
【請求項１０】
上記内円弧面（２２２）は一方の側端縁からもう一方の側端縁に向かって曲率漸増の連続円弧状に形成され、かつ上記導線押圧面（２２３）は上記内円弧面（２２２）の曲率が比較的大きい側端縁と連接することを特徴とする請求項９に記載の導線先端の巻線装置。
【請求項１１】
上記導線押圧面（２２３）を、上記内円弧面（２２２）の曲率が比較的大きい側端縁から、上記側端縁の接線方向に沿って上記外円弧面（２２１）まで延伸することを特徴とする請求項１０に記載の導線先端の巻線装置。
【請求項１２】
上記軸杆（２１）の半径方向の断面に平行する平面において、上記カッター（２２）の外円弧面（２２１）と上記導線収容管（１）の内環状周面（１２）を同心の円弧に形成することを特徴とする請求項１０に記載の導線先端の巻線装置。
【請求項１３】
上記内円弧面（２２２）が上記導線押圧面（２２３）の側端縁と連接する部位の曲率中心を上記外円弧面（２２１）の曲率中心と同じ位置に位置することを特徴とする請求項１２に記載の導線先端の巻線装置。
【請求項１４】
上記カッター（２２）の外円弧面（２２１）からその曲率中心までの距離を、上記導線収容管（１）の内環状周面（１２）からその曲率中心までの距離と同じまたは少し小さくすることを特徴とする請求項１２に記載の導線先端の巻線装置。
【発明の詳細な説明】
【技術分野】
【０００１】
本発明は、導線先端の巻線方法と導線先端の巻線装置に関するもので、特に、電子部品の導線の導線先端の巻線方法と導線先端の巻線装置に係るものである。
【背景技術】
【０００２】
導電コイルを含む電子部品を製造する時、導線を電子部品の絶縁基座に巻き付ける前に先ず導線の一端を上記絶縁基座と連接する一個のピン（Pin）に巻き付けて固定しなければならない。そして導線を予定される巻き数に基づいて上記絶縁基座に巻き付けた後、導線のもう一端を、上記絶縁基座と連接するもう一個のピンに巻き付けて固定しなければならない。それから、さらに導線の端部と導線を巻き付けて固定されたピンを液体すずで付けることにより、導線とピンの間は導電するようになる。上述した構造を有する電子部品として、例えば中華民国公告第Ｉ４７５５８０号（特許文献１参照）の「変圧器の骨組みと上記変圧器の骨組みを用いた骨組みの巻線方法」や、中華民国公告第Ｍ４９６８３８号（特許文献２参照）の「変圧器構造」などがある。
【０００３】
図１０を参照すると、例えば自動化の作業で上述した巻線の作業を完成させる場合、一個の導線保持器Ｃを使用して導線Ｌの一端を挟持し、そして一個の導線針（図示略）によって導線Ｌを導引して一個のピンＰに巻き付けて固定し、それから導線Ｌを絶縁基座の中に移入して、予定される巻数を巻き付ける。上記の工程において、上記導線針によって導線Ｌを上記ピンＰに巻き付けて固定する時に、導線Ｌが絡み合ってしまうという問題点が生じるのを避けるために、現在の製造工程では、上記導線針によって導線Ｌを上記ピンＰの自由端の方向へ向かって巻き付ける必要があり（図１０においては上へ向かって巻き付けている）、それによって、導線Ｌの一部分を上記ピンＰに巻き付けて固定している。しかし、このような巻き付けの方式では、上記導線針によって導線Ｌを絶縁基座の中に移入してコイルの巻き付けの作動を行なおうとする時、導線Ｌが傾斜状にぶら下がるような状態が形成されてしまう。そのため、後続するコイル巻き付け工程において導線Ｌが引きちぎれ易くなり、不良品となり易くなる。
【０００４】
図１１を参照すると、たとえ導線Ｌが引きちぎられることなく巻線を完成できたとしても、導線Ｌを上記導線保持器Ｃから分離した後、導線Ｌの切断端Ｘは依然として余分な手作業で上記ピンＰに巻き付けて固定しなければならず、完全な自動化の作業により導線Ｌと絶縁基座の結合を完成することができないため、全体的な製造工程における生産効率を高めることが難しい。
【０００５】
一方、導線Ｌの切断端Ｘは、絶縁基座に比較的近接して位置するため、上記導線Ｌが切断端Ｘに連接する部分はたとえ完全に一回り巻き付けていなくても、依然として少なくとも上記ピンＰの軸方向において一層分の線径の厚さを占めている。その上、上記導線Ｌは、各層の間における螺旋距離により、上記導線Ｌが上記ピンＰにおいて占める範囲としてかなりの軸方向の高さを占めている。しかしながら、電子部品を薄型の電子製品に適用することができるようにするためには、ある種の特定の安全規定において、導線ＬをピンＰに巻き付ける巻数と、それが占める軸方向の高さの規制値は全て非常に小さく定められており、上述した方法で製造される電子部品では上記規制値に適合し難いため、薄型の電子製品には適用することができないという問題点があった。
【０００６】
また、導線Ｌの切断端Ｘを液体すずに付けさせるため、殆ど全てのピンＰを液体すずの中に浸さなければならない。そのため、導線ＬのピンＰから絶縁基座の中まで延伸した部分にも液体すずが付着し、液体すずが毛細管現象によって導線Ｌが絶縁基座の中に巻き付けられている部分にまで拡散し易くなる。導線Ｌの絶縁層の融点は液体すずの温度より低いため、液体すずが付着した導線Ｌの部分は全て絶縁層の破壊によって絶縁の効果を失ってしまうという問題点が生じ、そして絶縁基座の中に巻き付けられる部分の導線Ｌの絶縁が失効すると、不良品となってしまうという問題点があった。
【０００７】
図１２を参照すると、そのために現在は、一般的に人手により巻き付ける方式を採用し、導線Ｌが上記ピンＰに巻き付けて固定された部分を解き開き、それから新たに巻き付けることにより、導線Ｌの切断端Ｘを、導線Ｌの中で上記ピンＰの自由端に最も近接する部位（図１２では最も上方に位置する）に形成し、さらに、導線Ｌの各層の間の螺旋距離をできるだけ縮減することにより、電子部品を安全規定に適合させ、薄型の電子製品に適用するようになる。他に、導線Ｌに液体すずを付ける場合、導線Ｌの切断端Ｘを液体すずに少し浸すだけでいい。たとえ液体すずが毛細管現象によって拡散しても、導線Ｌが絶縁基座の中に巻き付けられた部分まで拡散することがないため、不良品が形成されるのを避けることができる。
【０００８】
しかしながら、人手で新たに導線Ｌを巻き付けたり、導線Ｌの各層の間の螺旋距離を調整したりするのは、時間と手間が非常に掛かるため、全体的な製造工程の効率を高めるのは難しい。特に、薄型の電子製品の中の電子部品に適用しようとする場合、その絶縁基座の体積は小さく、かつ手に取り難く、力を施し難く、さらに、合わせて使用する導線Ｌの線径も非常に細いため、操作し難いという問題点があった。また、操作の効率が低いだけではなく、作業者が数十個の電子部品を処理した後、目に疲労感を生じてしまうため、後続の作業において効率がさらに悪くなるだけでなく、品質が甚だしく悪くなるという問題点があった。
【先行技術文献】
【特許文献】
【０００９】
【特許文献１】中華民国公告第Ｉ４７５５８０号
【特許文献２】中華民国公告第Ｍ４９６８３８号
【発明の概要】
【発明が解決しようとする課題】
【００１０】
上述した原因に基づき、従来の導線先端の巻線方法では、依然として問題点があり、確実に改善を行わなければならない。
【００１１】
本発明の目的は、自動化作業の方式で行うことができ、導線の一端を切断して絶縁基座と連接するピンに巻き付けて固定することにより、導線の切断端を、ピンの自由端に最も近接する部位に形成することができる導線先端の巻線方法と導線先端の巻線装置を提供することにある。
【課題を解決するための手段】
【００１２】
上記目的を達成するために、本発明による導線先端の巻線方法は、一個の導線の先端を挟持する段階と、上記導線を一個のピンに巻き付けて上記ピンの環状周面に添着することにより、上記導線の一個の初添着段を形成し、かつ上記初添着段の一端から上記導線の先端までの間に上記導線の第一段を形成し、上記初添着段のもう一端から上記導線のその他の部分まで上記導線の第二段を形成する段階と、一個の導線先端の巻線装置を上記ピンの自由端から上記ピンに嵌入し、上記導線の初添着段と一部分の第一段を上記導線先端の巻線装置の中に位置させ、かつ上記導線先端の巻線装置の端部を上記導線の第二段に当接する段階と、上記導線先端の巻線装置によって上記導線の第一段を切断し、かつ上記導線の第一段と上記初添着段を上記ピンの環状周面に巻き付けることにより、上記導線の切断端を上記導線の上記ピンの自由端に最も近接する部位に形成する段階とを含む。
【００１３】
また、本発明による導線先端の巻線装置は、一個の導線収容管と一個の巻線部材が含まれ、上記導線収容管の一端には一個の導線当接面が形成され、上記導線収容管には一個の導線収容部が開設され、上記導線収容部が上記導線収容管の外環状周面と内環状周面を貫穿することによって、上記導線収容管は一個の係止面を含み、上記係止面は上記導線収容管の外環状周面、内環状周面および上記導線当接面と連接し、上記巻線部材は上記導線収容管の中に収容され、上記巻線部材には一個の軸杆と一個のカッターが含まれ、上記カッターには一個の外円弧面、一個の内円弧面と一個の導線押圧面が含まれ、上記外円弧面と内円弧面は相対し、上記導線押圧面は上記外円弧面、内円弧面および上記カッターの自由端面と連接し、かつ上記導線押圧面と上記外円弧面が連接する端縁には一個の刃部が形成されている。
【００１４】
また、本発明による導線先端の巻線方法によれば、上記導線収容管と巻線部材は共に上記ピンの自由端から上記ピンに嵌入され、上記導線収容管は上記導線当接面によって上記導線の第二段に当接し、かつ上記導線収容管には上記導線の初添着段と一部分の導線の第一段が収容される。
【００１５】
また、本発明による導線先端の巻線方法によれば、上記巻線部材を上記導線収容管に対して相対的に回転駆動し、上記カッターの導線押圧面によって上記導線の第一段を押圧して上記ピンの環状周面に沿って巻き付け、かつ上記導線押圧面と上記導線収容管の係止面が交差する時、上記刃部によって上記導線の第一段を切断する。
【００１６】
また、本発明による導線先端の巻線方法によれば、上記導線の第一段が切断された後、上記巻線部材は引続き上記導線収容管に相対して回転し、上記導線の第一段は上記導線押圧面によって依然として上記初添着段と互いに連接する部分が、上記ピンの環状周面に沿って巻き付けるように押圧されることにより、上記部分の導線を上記ピンの環状周面に巻き付け、さらに上記導線の切断端が上記ピンの自由端に最も近接する部位に形成させることもできる。
【００１７】
また、本発明による導線先端の巻線方法は、上記軸杆の一端に一個の押圧面が含まれ、上記カッターは上記押圧面に連接され、上記導線を上記ピンの環状周面に巻き付けた後、上記ピンの軸方向に沿って上記導線収容管と巻線部材を移動させ、かつ上記軸杆の押圧面によって、上記導線が上記ピンの軸方向に沿って上記ピンに巻き付けられた部分を押圧することにより、上記導線の各層の間の螺旋距離を縮減することもできる。
【００１８】
また、本発明による導線先端の巻線方法は、上記ピンの半径方向の断面において、上記カッターが上記内円弧面および上記導線押圧面の連接する部位から上記ピンの環状周面までの距離が、上記導線の線径と同じまたは少し大きく、かつ上記内円弧面から上記ピンの環状周面までの距離の最小部位となることもできる。
【００１９】
また、本発明による導線先端の巻線装置は、上記軸杆の半径方向の断面に平行する平面において、上記導線押圧面は傾斜状に形成され、上記外円弧面の接平面とは一個の鋭角が形成され、上記刃部を上記カッターの片側に突出することもできる。
【００２０】
また、本発明による導線先端の巻線装置は、上記内円弧面は一方の側端縁からもう一方の側端縁に向かって曲率が漸増する連続円弧状に形成され、かつ上記導線押圧面は上記内円弧面の曲率が比較的大きい側端縁と連接することもできる。
【００２１】
また、本発明による導線先端の巻線装置は、上記導線押圧面を、上記内円弧面の曲率が比較的大きい側端縁から、上記側端縁の接線方向に沿って上記外円弧面まで延伸することもできる。
【００２２】
また、本発明による導線先端の巻線装置は、上記軸杆の半径方向の断面に平行する平面において、上記カッターの外円弧面と上記導線収容管の内環状周面を同心の円弧に形成することもできる。
【００２３】
また、本発明による導線先端の巻線装置は、上記内円弧面が上記導線押圧面の側端縁と連接する部位の曲率中心を上記外円弧面の曲率中心と同じ位置に位置することもできる。
【００２４】
また、本発明による導線先端の巻線装置は、上記カッターの外円弧面からその曲率中心までの距離を、上記導線収容管の内環状周面からその曲率中心までの距離と同じくまたは少し小さくすることもできる。
【発明の効果】
【００２５】
本発明の導線先端の巻線方法と導線先端の巻線装置によれば、自動化作業の方式で導線の一端を切断して絶縁基座と連接するピンに巻き付けて固定することができ、さらに導線の切断端を導線の中においてピンの自由端に最も近接する部位に形成させることにより、生産の効率を高めるとともに、製品の歩留まりを高め、さらに製品の品質を高め、品質の安定性を確保するなどの多重的な効果を有するため、後続において製造される電子部品は薄型の電子製品に適用することができるという利点がある。
【図面の簡単な説明】
【００２６】
【図１】本発明の一実施例の分解斜視構造の説明図である。
【図２】本発明の実施例の導線をピンに巻き付けた後の実施説明図である。
【図３】本発明の実施例の導線を切断する前の断面構造の説明図である。
【図４】本発明の実施例の導線を切断する時の実施説明図である。
【図５】本発明の実施例の導線を切断してピンに巻き付けた後の断面構造の説明図である。
【図６】図５のＡ−Ａ線に沿った断面の構造の説明図である。
【図７】本発明の実施例の導線の各層の間の螺旋距離を縮減した後の断面構造の説明図である。
【図８】本発明の実施例の導線の始端をピンに巻き付けた後の実施説明図である。
【図９】本発明のもう一つの実施例の分解斜視構造の説明図である。
【図１０】従来の導線先端の巻線方法の実施説明図である。
【図１１】従来の導線先端の巻線方法において人力で導線の切断端をピンに巻き付けて固定している実施説明図である。
【図１２】従来の導線先端の巻線方法において人力でピンに巻き付けられた導線を解いて再び新たに巻き付けている実施説明図である。
【発明を実施するための形態】
【００２７】
本発明の実施の形態について、以下、図面を参照して説明する。
【００２８】
図１は本発明の一実施例の分解斜視構造の説明図である。図１を参照すると、本発明である、導線先端の巻線方法と合わせて使用する導線先端の巻線装置の一実施例が掲示されている。上記導線先端の巻線装置には、主として、一個の導線収容管１と一個の巻線部材２が含まれ、上記巻線部材２の一部分は上記導線収容管１の中に収容され、かつ上記巻線部材２は上記導線収容管１に対して相対的に回転することができる。
【００２９】
上記導線収容管１は管状に形成され、そして一個の外環状周面１１と一個の内環状周面１２を含む。上記導線収容管１の一端には一個の導線当接面１３が形成される。上記導線収容管１には一個の導線収容部１４が開設され、上記導線収容部１４が上記導線収容管１の外環状周面１１と内環状周面１２を貫穿することによって、上記導線収容管１は一個の係止面１５を含むことができ、かつ上記係止面１５は上記外環状周面１１と、内環状周面１２と、上記導線当接面１３に連接している。
【００３０】
図２は本発明の一実施例の導線をピンに巻き付けた後の実施説明図で、図３は本発明の実施例１の導線を切断する前の断面構造の説明図である。図２、３を合わせて参照すると、一個の導線Ｌを一個のピンＰに巻き付け、かつ上記ピンＰが上記導線収容管１の中に嵌入される時、上記導線収容管１は上記導線当接面１３によって上記導線Ｌの一段と当接し、さらに上記導線Ｌの他の一段は上記導線収容部１４の中に収容され、かつ上記導線Ｌは上記巻線部材２の回転によって上記係止面１５と接触するように形成されている。
【００３１】
また、本発明においては上記導線収容部１４の構造の形態について特別に制限を設けていない。例を挙げて言えば、上記導線収容部１４の構造の形態は、図１に示すように、上記導線当接面１３から軸方向へ延伸して略扇形の溝を形成し、かつ上記扇形の溝の展開角度については限制を設けない。また、導線収容部１４は、図９に示すように略一直線の貫穿式の溝からなることもできる。その他に、上記導線収容部１４は、その他の適宜の形態にすることもでき、要するに「上記係止面１５を規定することができ、さらに導線Ｌを収容できる機能を有する」の原則をもって、本発明の技術分野で通常の知識を有する者には理解することができ、かつ使用上の需要性に応じて設計を変更することができるものである。本発明の図示するものにおいては上述した加工成形が行ない易い二種類の構造形態を代表とするものであるが、この限りではない。
【００３２】
図４は本発明の一実施例の導線を切断する時の実施説明図である。図１、４を参照すると、上記巻線部材２には一個の軸杆２１と一個のカッター２２が含まれ、上記カッター２２は上記軸杆２１の一端に連接される。上記巻線部材２のカッター２２は、上記導線収容管１の中に収容され、上記巻線部材２の軸杆２１が回転駆動できるため、上記カッター２２は同期的に連動して上記導線収容管１の中で回転することができる。
【００３３】
詳しく言えば、上記軸杆２１の一端には一個の押圧面２１１が含まれ、上記カッター２２は上記押圧面２１１に連接される。上記軸杆２１の中には、一個の嵌入孔２１２が設けられ、上記嵌入孔２１２は上記軸杆２１の軸方向に沿って延伸し、さらに上記軸杆２１の押圧面２１１まで貫穿し、上記嵌入孔２１２の孔径は上記ピンＰの径と略同じまたは少し大きく形成され、上記ピンＰを容易に嵌入することができる。
【００３４】
上記カッター２２には、相対する一個の外円弧面２２１と一個の内円弧面２２２が含まれ、上記外円弧面２２１と内円弧面２２２の一端は上記軸杆２１の押圧面２１１に連接され、上記外円弧面２２１と内円弧面２２２は上記軸杆２１の軸方向に沿って延伸し、上記巻線部材２が上記導線収容管１の中に嵌入される時、上記カッター２２の外円弧面２２１は内円弧面２２２より上記導線収容管１の内環状周面１２に近接する。
【００３５】
上記カッター２２にはさらに一個の導線押圧面２２３が含まれ、上記導線押圧面２２３は、上記押圧面２１１、外円弧面２２１、内円弧面２２２と上記カッター２２の自由端面に連接する。上記導線押圧面２２３と上記外円弧面２２１が連接する端縁には、一個の刃部２２４が形成される。上記カッター２２が上記導線収容管１の中で回転する時、上記導線押圧面２２３によって上記導線Ｌを押圧して上記ピンＰの環状周面に沿って巻き付け、かつ上記導線押圧面２２３と上記導線収容管１の係止面１５が交差する時、上記刃部２２４によって上記導線Ｌを切断する。
【００３６】
上記軸杆２１の半径方向の断面に平行する平面において、上記カッター２２の外円弧面２２１と上記導線収容管１の内環状周面１２は選択的に同心の円弧の形態にすることにより、上記カッター２２を上記導線収容管１の中でスムーズに回転させることができる。上記カッター２２の外円弧面２２１からその曲率中心までの距離は、上記導線収容管１の内環状周面１２からその曲率中心までの距離と略同じまたは少し小さく形成され、上記導線収容管１の係止面１５は上記カッター２２の導線押圧面２２３と共動して上記導線Ｌを切断することができる。
【００３７】
また、上記軸杆２１の半径方向の断面に平行する平面において、上記カッター２２の外円弧面２２１の中心角は９０〜２７０°からなることができるため（好ましくは１３５〜２２５°である）、上記カッター２２に充分な強度を確保することができ、そして、上記導線Ｌが上記導線収容管１の内環状周面１２の中に収容される部分に対して、必要のない湾曲をもたらすことがないため、上記導線Ｌが予期されない位置で断裂が生じるのを避けることができる。
【００３８】
さらに、上記軸杆２１の半径方向の断面に平行する平面において、上記カッター２２の内円弧面２２２は、選択的に同じ曲率でない円弧の形態に形成することもでき、上記導線Ｌの巻き付けのスムーズさを高めることができる。例えば、制限を設けないとすれば、上記カッター２２の内円弧面２２２は、一方の側端縁からもう一方の側端縁に向かって曲率が漸増する連続円弧状に形成され、かつ上記カッター２２の導線押圧面２２３は、上述した曲率が比較的大きい上記側端縁と連接する。
【００３９】
本実施例において、上記導線押圧面２２３は、選択的に傾斜する態様にすることができ、言い換えれば、上記軸杆２１の半径方向の断面に平行する平面において、上記導線押圧面２２３と上記外円弧面２２１の接平面には一個の鋭角が形成され、上記刃部２２４は上記カッター２２の片側に突出される。これにより、上記導線押圧面２２３が上記導線Ｌを押圧することによって、導線Ｌを上記ピンＰの環状周面に沿って巻き付ける時、上記導線Ｌが上記導線押圧面２２３と上記内円弧面２２２が連接する部位において、過度な湾曲によって断裂してしまうのを避けることができる。
【００４０】
好ましくは、選択的に上記導線押圧面２２３は、上記内円弧面２２２の曲率が比較的大きい側端縁から、上記側端縁の接線方向に沿って上記カッター２２の外円弧面２２１まで延伸することにより、上記内円弧面２２２と導線押圧面２２３の間には稜線がなくなり、そうすることで、上記カッター２２は「稜線」ではなく「平滑面」によって上記導線Ｌを押圧することにより、上記導線Ｌは巻き付けの過程において断裂が生じないことを確保することができる。
【００４１】
さらに、上記内円弧面２２２が上記導線押圧面２２３の側端縁と連接する部位においてその曲率中心は、上記外円弧面２２１の曲率中心と同じ位置に位置するように選択することができる。それから、上記カッター２２の上記内円弧面２２２と上記導線押圧面２２３の連接する部位から上記ピンＰの環状周面までの距離は、上記導線Ｌの線径と同じ、または少し大きく、かつ上記内円弧面２２２から上記ピンＰの環状周面までの距離の最小部位となる。
【００４２】
これにより、上記導線押圧面２２３によって上記導線Ｌと接触する他に、上記内円弧面２２２は、上記導線押圧面２２３と隣接する部位だけで上記導線Ｌと接触することにより、上記内円弧面２２２のその他の部位が上記導線Ｌと摩擦するのを避けることができるため、上記カッター２２によって上記導線Ｌを上記ピンＰの環状周面にさらにスムーズに巻き付けることができ、そして上記導線Ｌが予期されない位置で断裂が生じるのを避けることができる。
【００４３】
上述した導線先端の巻線装置に基づき、本発明において実施することができる導線先端の巻線方法は、下記の段階を含む。
【００４４】
図２を参照すると、複数個のピンＰを連接している一個の絶縁基座Ｂを位置決めする。例えば一個の導線針（図式省略）によって一個の導線Ｌを導引し、さらに上記導線Ｌの先端を一個の導線保持器Ｃまで移動して挟持する。それから、上記導線Ｌを上記絶縁基座Ｂのその内の一個のピンＰに巻き付け、さらに上記導線Ｌの一部分を上記ピンＰの環状周面に添着させることにより、上記導線Ｌの一個の初添着段Ｌ１を形成する。さらに、上記初添着段Ｌ１の一端から上記導線Ｌの先端の間に上記導線Ｌの第一段Ｌ２を形成し、上記初添着段Ｌ１のもう一端から上記導線Ｌのその他の部分まで上記導線Ｌの第二段Ｌ３を形成する。
【００４５】
図２、３を参照すると、上記導線先端の巻線装置を上記ピンＰの自由端から上記ピンＰに嵌入し、上記導線Ｌの初添着段Ｌ１と一部分の第一段Ｌ２を上記導線先端の巻線装置の中に位置し、かつ上記導線先端の巻線装置の端部により上記導線Ｌの第二段Ｌ３を当接する。詳しく言えば、上記導線先端の巻線装置の巻線部材２は、一部分をもって上記導線収容管１の中に収容され、さらに上記導線収容管１と巻線部材２を共に上記ピンＰの自由端から上記ピンＰに嵌入することにより、上記ピンＰは上記嵌入孔２１２の中に安定して嵌合される。
【００４６】
また、上記導線収容管１は、上記導線当接面１３によって上記導線Ｌの第二段Ｌ３を当接し、さらに上記導線Ｌの初添着段Ｌ１と一部分の第一段Ｌ２は、上記導線収容部１４の中に収容される。一方、上記導線Ｌは、上記軸杆２１の押圧面２１１の押圧を受けることにより、上記導線押圧面２２３まで押圧されて移動し、上記内円弧面２２２と上記押圧面２１１により形成される開放された空間において、上記導線Ｌが上記ピンＰにおいて上記絶縁基座Ｂに比較的近接して連接する部位に位置するように確保される。
【００４７】
図２、４を参照すると、上記導線先端の巻線装置によって上記導線Ｌの第一段Ｌ２を切断する。詳しく言えば、上記巻線部材２を上記導線収容管１に対して相対的に回転駆動すると、上記カッター２２の導線押圧面２２３によって上記導線Ｌの第一段Ｌ２を押圧して上記ピンＰの環状周面に沿って巻き付け、かつ上記導線押圧面２２３と上記導線収容管１の係止面１５が交差する時、上記刃部２２４によって上記導線Ｌの第一段Ｌ２を切断し、そして上記導線Ｌが切断される部位において一個の切断端Ｘが形成される。
【００４８】
図５は本発明の実施例１の導線を切断してピンに巻き付けた後の断面構造の説明図で、図６は、図５のＡ−Ａ線に沿った断面の構造の説明図である。図５、６を参照すると、上記導線Ｌの第一段Ｌ２が切断された後、上記巻線部材２は引続き上記導線収容管１内で回転し、上記導線押圧面２２３によって上記導線Ｌの第一段Ｌ２（依然として上記初添着段Ｌ１と互い連接する部分）を押圧して上記ピンＰの環状周面に沿って巻き付けることにより、上記部分の導線Ｌを上記ピンＰの環状周面に巻き付け、その結果、上記導線Ｌの切断端Ｘは上記導線Ｌが上記ピンＰの自由端に最も近接する部位となる。
【００４９】
図７は本発明の一実施例の導線Ｌの各層の間の螺旋距離を縮減した後の断面構造の説明図である。図７を参照すると、上述の段階を完成した後、さらには上記導線収容管１と巻線部材２を共に上記絶縁基座Ｂに近寄る方向へ移動させる。すると、上記軸杆２１の押圧面２１１によって上記ピンＰの軸方向に沿って上記導線Ｌが上記ピンＰに巻き付けられた部分が押圧され、上記導線Ｌの各層の間の螺旋距離が縮減され、それにより、上記導線Ｌが上記ピンＰにおいて占める範囲の軸方向の高さを大幅に縮減することができる。このように、上記導線Ｌが上記ピンＰに巻き付けられる巻数と占める軸方向の高さの規制値を全て非常に小さく、かつ、ある種の特定の安全規定に適合させることができるため、後続において製造される電子部品は薄型の電子製品に適用することができる。
【００５０】
図８は本発明の実施例の導線Ｌの始端をピンＰに巻き付けた後の実施説明図である。図８を参照すると、上記導線Ｌの第一段Ｌ２において依然として上記初添着段Ｌ１と互いに連接する部分が上記ピンＰの環状周面に巻き付けられた後、上記導線先端の巻線装置を上記ピンＰから退出することにより、上記導線収容管１の導線当接面１３が上記導線Ｌの第二段Ｌ３に当接しないように形成される。これにより、上記導線針は上記導線Ｌの第二段Ｌ３を引っ張って上記絶縁基座Ｂの一個の凸部ｂ１を経由し、さらに上記絶縁基座Ｂの一個の導線溝ｂ２を通過し、上記絶縁基座Ｂの一個のコイル巻線部ｂ３の中まで進入してコイルの巻線の作動を始めることができる。
【００５１】
他に、コイルの巻線の作動を完了した後、上記導線針によって上記導線Ｌの第二段Ｌ３を引っ張って上記コイル巻線部ｂ３から離れさせ、さらにもう一個のピンＰのところまで移動させることにより、上記導線Ｌを上記もう一個のピンＰが上記絶縁基座Ｂに近接する一端から上記もう一個のピンＰの自由端に向かって巻き付けた後に切断することで、上記絶縁基座Ｂに対する巻き付けを完成して一個の電子部品を獲得する。
【００５２】
このように、本発明の導線先端の巻線方法では、導線Ｌの切断端Ｘを導線ＬがピンＰの自由端に最も近接する部位に形成することができ、言い換えれば、導線Ｌの第二段Ｌ３は導線Ｌが絶縁基座Ｂに最も近接する部位となる。これにより、導線針によって導線Ｌを絶縁基座Ｂのコイル巻線部ｂ３の中に移入してコイルの巻線の作動を行なおうとする時、巻き付けの起点と上記コイル巻線部ｂ３の高度の差を低く下げることにより、導線Ｌは巻き付けが始まる時には、殆ど水平に上記絶縁基座Ｂの外形に沿って上記コイル巻線部ｂ３に引っ張られることにより、従来における導線Ｌが傾斜状にぶら下がるような状態になるのを改善することができるため、導線Ｌが後続の巻線の作業時に引きちぎられるのを有効に避けることができ、さらに電子部品が巻線の段階において不良品になるという確率を下げることができるため、全体的な製品の歩留まりを高めるのに役立つことができる。
【００５３】
他に、本発明の導線先端の巻線装置では、導線Ｌの第一段Ｌ２を切断してピンＰの環状周面に巻き付けて固定することができるため、余分な人手による操作は不要になる。また、本発明の導線先端の巻線方法では、導線Ｌの切断端Ｘを導線ＬがピンＰの自由端に最も近接する部位に形成することができるため、導線Ｌの切断端Ｘに対して液体すずを付ける前、人手により導線Ｌが上記ピンＰに巻き付いて固定される部分を解き開いて新たに巻き付けることは不要になる。そのため、本発明では完全に自動化の作業方式で導線Ｌと絶縁基座Ｂの結合を完成することができるため、全体的な製造工程の生産効率を大幅に高めることができ、一方、自動化の製造工程によって人手作業による各種の不安定な要素（例えば作業員の疲労など）を排除することもできるため、製品の品質の安定性をより一層確保することができる。
【００５４】
総合すると、本発明の導線先端の巻線方法と導線先端の巻線装置によれば、自動化作業の方式で導線の一端を切断して絶縁基座と連接するピンに巻き付けて固定されることにより、導線の切断端は導線の中にピンの自由端に最も近接する部位に形成され、生産の効率を高めるとともに、製品の歩留まりを高め、さらに製品の品質を高め、品質の安定性を確保するなどの多重的な効果を有するため、後続において製造される電子部品は薄型の電子製品に適用することができる。
【００５５】
本発明は、その精神および必須の特徴事項から逸脱することなく他のやり方で実施することができる。従って、本明細書に記載した好ましい実施形態は例示的なものであり、限定を意図するものではない。
【符号の説明】
【００５６】
１    導線収容管
１１    外環状周面
１２    内環状周面
１３    導線当接面
１４    導線収容部
１５    係止面
２    巻線部材
２１    軸杆
２１１    押圧面
２１２    嵌入孔
２２    カッター
２２１    外円弧面
２２２    内円弧面
２２３    導線押圧面
２２４    刃部
Ｂ    絶縁基座
ｂ１    凸部
ｂ２    導線溝
ｂ３    コイル巻線部
Ｃ    導線保持器
Ｌ    導線
Ｌ１    初添着段
Ｌ２    第一段
Ｌ３    第二段
Ｐ    ピン
Ｘ    切断端
【図１】
2016032106.tif 000003
【図２】
2016032106.tif 000004
【図３】
2016032106.tif 000005
【図４】
2016032106.tif 000006
【図５】
2016032106.tif 000007
【図６】
2016032106.tif 000008
【図７】
2016032106.tif 000009
【図８】
2016032106.tif 000010
【図９】
2016032106.tif 000011
【図１０】
2016032106.tif 000012
【図１１】
2016032106.tif 000013
【図１２】
2016032106.tif 000014